(57)【要約】【課題】吸液芯の上端と揮散部材の下面との安定的な接触状態を確保可能な揮散具を提供すること。【解決手段】揮散具であって、揮散液を収容する収容部材（１０）と、収容部材内に配置された吸液芯（４０）と、開口部（１２）に着脱可能に装着されるキャップ（５０）と、蓋（６０）と、キャップ（５０）の装着時にはキャップ（５０）に下方から支持されるとともに、キャップ（５０）が取り外されたときにはその下面（７１）が吸液芯の上端（４０ａ）と接触する揮散部材（７０）とを備え、収容部材（１０）は保持部（３３）を有し、蓋（６０）は拘束部（６１ａ）を有し、キャップ（５０）は、収容部材（１０）の上端に圧接されるシール部（５２）と、シール部（５２）から上方に隆起する隆起部（５３）と、隆起部（５３）の外側に形成されており隆起部（５３）の上端よりも上方に突出して揮散部材（７０）を下方から支持する支持部（５４）とを有すること。【選択図】図２
2014125211.tif 000002
【特許請求の範囲】
【請求項１】
揮散液を揮散させる揮散具であって、
前記揮散液を収容するとともに上方に開口する開口部を有する収容部材と、
前記収容部材内に配置されており、上下方向に長い形状を有するとともに前記揮散液を吸収する吸液芯と、
前記開口部を塞ぐように前記開口部に着脱可能に装着されるキャップと、
前記収容部材に取り付けられるとともに、前記揮散液を拡散させるための拡散孔を有する蓋と、
前記開口部に前記キャップが装着されているときには、当該キャップに下方から支持される状態となるように前記蓋に保持されるとともに、前記キャップが取り外されたときには、その下面が前記吸液芯の上端と接触することにより当該吸液芯から前記揮散液を吸い上げてその揮散液を揮散可能な状態となるように前記蓋に保持される揮散部材とを備え、
前記収容部材は、前記吸液芯の上端が前記開口部よりも上に位置する姿勢となるように当該吸液芯を保持する保持部を有し、
前記蓋は、前記揮散部材の前記吸液芯の長手方向と直交する方向への変位を拘束する拘束部を有し、
前記キャップは、前記収容部材の上端に圧接されることで当該収容部材外への前記揮散液の漏出を防止するシール部と、前記吸液芯の上端との接触を回避するように前記シール部から上方に隆起する隆起部と、前記隆起部の外側に形成されており当該隆起部の上端よりも上方に突出して前記揮散部材を下方から支持する支持部とを有する揮散具。
【請求項２】
請求項１に記載の揮散具において、
前記キャップは、前記開口部の外周面に固定される被固定部を有し、
前記支持部は、前記被固定部の外周面を上方に延長させた形状の外周面を有する揮散具。
【請求項３】
請求項１又は２に記載の揮散具において、
前記支持部は、前記隆起部を中心とする周方向の全域にわたって連続的に延びる形状を有する揮散具。
【発明の詳細な説明】
【技術分野】
【０００１】
本発明は、揮散液を揮散させる揮散具に関する。
【背景技術】
【０００２】
従来、揮散液を揮散させる揮散具が知られている。例えば特許文献１には、揮散液を収容するとともに上方に開口する口頸部を有する容器体と、上下方向に長い形状を有するとともに前記揮散液を吸収する吸液芯と、前記吸液芯の上端が前記開口部よりも上に位置する姿勢となるように当該吸液芯を保持する保持部材と、前記容器体の口頸部を塞ぐ形状のキャップと、前記吸液芯の上端と接触することにより当該吸液芯から前記揮散液を吸い上げてその揮散液を揮散させる揮散部材と、前記容器体に装着されるとともに前記揮散液を拡散させるための揮発窓を有する蓋とを備える揮散具が開示されている。前記蓋は、前記揮散部材の前記吸液芯の長手方向と直交する方向への変位を拘束する取付板を有する。前記キャップは、前記容器体外へ前記揮散液が漏出するのを防止するシール面と、前記吸液芯の上端との接触を回避するように前記シール面から上方に隆起する隆起部とを有する。この隆起部の上面は平坦に形成されており、この上面で前記揮散部材を下方から支持している。
【０００３】
この揮散具を使用するときは、前記容器体に装着されている前記キャップを取り外し、前記揮散部材の下面と前記吸液芯の上端とを接触させる。これにより、前記吸液芯に含浸している揮散液が前記揮散部材により吸い上げられ、当該揮散部材からその揮散液が揮散する。
【先行技術文献】
【特許文献】
【０００４】
【特許文献１】特開２０１２−０７６７８４号公報
【発明の概要】
【発明が解決しようとする課題】
【０００５】
上記特許文献１に記載の揮散具は、流通時等の使用前の状態では、前記揮散部材が前記隆起部の上面により下方から支持されているので、前記揮散部材の下面のうちの前記隆起部の上面と接触する部位、すなわち、当該揮散具の使用時において前記吸液芯の上端と接触する部位には、前記揮散部材の自重によって前記隆起部から上向きの圧力が作用する。そのため、この部位が、前記揮散部材の下面におけるその他の領域から上方へ向かって窪んだ形状となる場合がある。この場合、前記揮散部材の下面のうちの前記吸液芯の上端と対向する部位の当該上端に対する相対位置が上方へ変位するので、この揮散具の使用時、つまり、前記キャップを取り外した状態における前記揮散部材と前記吸液芯との良好な接触状態が得られなくなり、前記揮散液の揮散効率が著しく低下する。
【０００６】
本発明の目的は、吸液芯の上端と揮散部材の下面との安定的な接触状態を確保可能な揮散具を提供することである。
【課題を解決するための手段】
【０００７】
前記課題を解決するために、本発明は、揮散液を揮散させる揮散具であって、前記揮散液を収容するとともに上方に開口する開口部を有する収容部材と、前記収容部材内に配置されており、上下方向に長い形状を有するとともに前記揮散液を吸収する吸液芯と、前記開口部を塞ぐように前記開口部に着脱可能に装着されるキャップと、前記収容部材に取り付けられるとともに、前記揮散液を拡散させるための拡散孔を有する蓋と、前記開口部に前記キャップが装着されているときには、当該キャップに下方から支持される状態となるように前記蓋に保持されるとともに、前記キャップが取り外されたときには、その下面が前記吸液芯の上端と接触することにより当該吸液芯から前記揮散液を吸い上げてその揮散液を揮散可能な状態となるように前記蓋に保持される揮散部材とを備え、前記収容部材は、前記吸液芯の上端が前記開口部よりも上に位置する姿勢となるように当該吸液芯を保持する保持部を有し、前記蓋は、前記揮散部材の前記吸液芯の長手方向と直交する方向への変位を拘束する拘束部を有し、前記キャップは、前記収容部材の上端に圧接されることで当該収容部材外への前記揮散液の漏出を防止するシール部と、前記吸液芯の上端との接触を回避するように前記シール部から上方に隆起する隆起部と、前記隆起部の外側に形成されており当該隆起部の上端よりも上方に突出して前記揮散部材を下方から支持する支持部とを有する揮散具を提供する。
【０００８】
本発明によれば、前記支持部は、前記隆起部より外側で当該隆起部よりも上方に突出して前記揮散部材を下方から支持するので、すなわち、前記揮散部材の下面が前記隆起部と接触しないようにこの揮散部材を下方から支持するので、前記揮散部材の下面のうち前記支持部と接触する部位は上方に窪んだ形状になり得るものの、前記揮散部材の下面のうち前記吸液芯の上端又は前記隆起部と対向する部位（前記キャップが取り外された状態において前記吸液芯の上端と接触する部位）は、従来のように上方へ窪んだ形状とならず、しかも、前記拘束部により前記揮散部材の前記吸液芯に対する位置決めがなされているので、前記キャップが取り外された状態では、前記揮散部材の下面のうちの前記吸液芯の上端と対向する部位（前記支持部に支持された部位よりも内側の部位）が確実に前記吸液芯の上端と接触する。よって、使用時における前記吸液芯の上端と前記揮散部材の下面との安定的な接触状態が確保される。
【０００９】
この場合において、前記キャップは、前記開口部の外周面に固定される被固定部を有し、前記支持部は、前記被固定部の外周面を上方に延長させた形状の外周面を有することが好ましい。
【００１０】
このようにすれば、前記キャップの取り外し性が向上される。具体的には、通常、前記キャップを取り外すときには当該キャップの被固定部が指等で把持されるが、前記支持部は、前記被固定部の外周面を上方に延長させた形状の外周面を有するので、このキャップを取り外すときに把持可能な面積が増え、これにより、当該キャップの取り外し性が向上される。
【００１１】
また、本発明において、前記支持部は、前記隆起部を中心とする周方向の全域にわたって連続的に延びる形状を有することが好ましい。
【００１２】
このようにすれば、前記支持部から前記揮散部材に作用する圧力が低減されるので、当該揮散部材の下面のうち前記支持部の上端と接触する部位の変形量が抑制され、当該下面に前記支持部の上端と対応する形状の窪みが形成されるのが抑制される。よって、前記窪みが形成された場合であっても、前記揮散部材の下面のうち前記吸液芯の上端と対向する部位に発生し得る変形が抑制され、これにより、使用時における前記吸液芯の上端と前記揮散部材の下面との接触状態が一層安定する。
【発明の効果】
【００１３】
以上のように、本発明によれば、吸液芯の上端と揮散部材の下面との安定的な接触状態を確保可能な揮散具を提供することができる。
【図面の簡単な説明】
【００１４】
【図１】本発明の一実施形態の揮散具の斜視図である。
【図２】図１に示す揮散具の使用前及び使用時の断面図である。
【図３】（ａ）図１に示す揮散具のキャップの斜視図である。（ｂ）キャップの断面図である。
【図４】キャップの支持部の変形例を示す断面図である。
【図５】キャップの支持部の変形例を示す断面図である。
【図６】キャップの支持部の変形例を示す断面図である。
【図７】キャップの支持部の変形例を示す断面図である。
【図８】キャップの支持部の変形例を示す平面図である。
【図９】キャップのシール部の変形例を示す断面図である。
【発明を実施するための形態】
【００１５】
本発明の一実施形態の揮散具について、図１〜図９を参照しながら説明する。なお、以下の説明における上下及び左右の各方向は、図２に基づいている。
【００１６】
本実施形態の揮散具は、図１及び図２に示されるように、揮散液を収容する収容部材１０と、揮散液を吸収する吸液芯４０と、収容部材１０に取り付けられるキャップ５０と、収容部材１０の上部に取り付けられる蓋６０と、揮散液を揮散させる揮散部材７０とを備えている。なお、揮散液としては、芳香液、消臭液、忌避液等が挙げられる。また、図２では、左半分にこの揮散具の使用前の状態（キャップ５０が取り付けられた状態）が示されており、右半分に使用時の状態（キャップ５０が取り外された状態）が示されている。
【００１７】
収容部材１０は、揮散液を収容する容器１１と、この容器１１を収容する収容ケース２１と、吸液芯４０を保持する保持部材３１とを有する。容器１１は、上方に開口する円筒状の開口部１２を有する。収容ケース２１は、上方に開口しており、容器１１の開口部１２から下側の部位を概ね収容する形状を有する。
【００１８】
保持部材３１は、開口部１２内に嵌合されており、吸液芯４０の上端４０ａが開口部１２よりも上に位置する姿勢となるように当該吸液芯４０を保持する。この保持部材３１は、開口部１２内に嵌合される径を有する嵌合筒部３２と、吸液芯４０を保持する保持部３３と、開口部１２の上端と当接する当接部３４とを有する。保持部３３は、嵌合筒部３２の内面から内側かつ下方に向かって延びており、吸液芯４０を挿通可能な径を有する筒状に形成されている。当接部３４は、嵌合筒部３２の上端から径方向の外側に向かって張り出す形状を有する。なお、嵌合筒部３２の外周面と開口部１２の内周面とは、両者の間から容器１１内の揮散液が当該容器１１外へ漏れないように密着している。
【００１９】
吸液芯４０は、上下方向に長い形状を有し、容器１１内に配置される。この吸液芯４０は、例えばろ紙からなる。本実施形態では、吸液芯４０の上端４０ａは、当該吸液芯４０の長手方向と直交する方向と平行な平坦面に形成されている。
【００２０】
キャップ５０は、開口部１２に着脱自在となるように当該開口部１２に取り付けられている。このキャップ５０は、開口部１２を塞ぐ形状を有する。図２、図３（ａ）及び図３（ｂ）に示されるように、キャップ５０は、開口部１２の外周面に固定される被固定部５１と、収容部材１０の上端に圧接されることで当該収容部材１０外への揮散液の漏出を防止するシール部５２と、シール部５２から上方に隆起する形状の隆起部５３と、揮散部材７０を下方から支持する支持部５４とを有する。本実施形態では、このキャップ５０は、合成樹脂で成形されている。
【００２１】
被固定部５１は、円筒状である。この被固定部５１は、開口部１２に対して螺合可能に形成されている。
【００２２】
シール部５２は、開口部１２の上端との間で当接部３４を挟持する挟持面５２ａと、この挟持面５２ａから当接部３４に向かって突出する凸部５２ｂとを有する。挟持面５２ａは、当接部３４と平行な平面に形成されている。凸部５２ｂは、周方向の全域にわたってつながった形状を有する。挟持面５２ａが当接部３４側に押し付けられることにより、凸部５２ｂが当接部３４に圧接する。
【００２３】
隆起部５３は、吸液芯４０の上端４０ａとの接触を回避するようにシール部５２、より具体的には挟持面５２ａから上方に隆起している。
【００２４】
支持部５４は、隆起部５３の外側に形成されており、かつ、当該隆起部５３の上端よりも上方に突出して揮散部材７０を下方から支持する形状を有する。この支持部５４は、凸部５２ｂと上下方向に重ならない位置に形成されることが好ましい。本実施形態では、支持部５４は、被固定部５１の上端から上方に延びる形状を有する。この支持部５４は、被固定部５１の外周面を上方に延長させた形状の外周面を有する。支持部５４は、隆起部５３を中心とする周方向の全域にわたって連続的に延びる形状を有する。
【００２５】
蓋６０は、揮散部材７０から揮散する揮散液を拡散させるための拡散孔６０ａ（図１を参照）を有する。また、この蓋６０は、揮散部材７０を保持する保持片６１と、揮散部材７０を下方に付勢する付勢部６２とを有する。保持片６１は、吸液芯４０の長手方向と直交する方向（図２の左右方向）への揮散部材７０の変位を拘束する拘束部６１ａと、この拘束部６１ａの下端に接続されており揮散部材７０を下方から受ける受け部６１ｂとを有する。付勢部６２は、図２に示されるように、キャップ５０が装着されている状態（使用前の状態）では、支持部５４との間で揮散部材７０の上下方向の変位を抑制し、キャップ５０が取り外された状態（使用時の状態）では、吸液芯４０の上端４０ａまたは受け部６１ｂとの間で揮散部材７０の上下方向の変位を抑制する。より具体的には、付勢部６２は、使用前及び使用時のいずれの状態においても上向きに撓んでおり、当該付勢部６２の中立位置に戻ろうとする弾性復帰力で揮散部材７０を下方に押圧することによって、揮散部材７０の上下方向の位置決めを行う機能を有する。本実施形態では、付勢部６２は、板ばね状であり、図２に示される吸液芯４０の軸を挟んだ左右の２箇所に加え、これらの付勢部６２とは図２の紙面垂直方向にずれた位置の別の２箇所の合計４箇所に設けられている。ただし、付勢部６２の個数や形状は、上記に限定されない。付勢部６２としては、この揮散具の使用前及び使用時において揮散部材７０の上下方向の位置決めを行う機能を発揮するものであればよい。本実施形態では、蓋６０は、収容ケース２１の一端側（図２の右側）に設けられたヒンジ部６５を介して当該収容ケース２１と接続されている。
【００２６】
揮散部材７０は、容器１１にキャップ５０が装着されているときには、当該キャップ５０の支持部５４に下方から支持される状態となるように蓋６０に保持されるとともに、キャップ５０が取り外されたとき（この揮散具の使用時）には、その下面７１が吸液芯４０の上端４０ａと接触するように蓋６０に保持される。なお、この揮散部材７０は、その下面７１が吸液芯４０の上端４０ａと接触することにより、吸液芯４０から揮散液を吸い上げてその揮散液を揮散する。この揮散部材７０の下面７１は、平坦に形成されている。本実施形態では、揮散部材７０は、直方体に形成されている。この揮散部材７０は、例えばフェルト（不織布）芯からなる。
【００２７】
ここで、本実施形態の揮散具の使用前及び使用時について説明する。
【００２８】
図２に示されるように、この揮散具の流通時等の使用前は、キャップ５０が容器１１に取り付けられており、容器１１内の揮散液が容器１１外へ漏出しないようになっている。この状態では、揮散部材７０の下面７１は支持部５４のみと接触しており、その支持部５４と接触している部位には、揮散部材７０の自重によって支持部５４から上向きの圧力が作用している。そのため、この状態が長時間持続されると、揮散部材７０の下面７１のうちの支持部５４と接触している部位が、当該下面７１におけるその他の領域から上方へ向かって窪んだ形状となる場合がある。その場合、その窪みの形状は、支持部５４と対応する形状、すなわち、円環状となる。
【００２９】
一方、揮散部材７０の下面７１は隆起部５３と離間しているので、この下面７１のうち隆起部５３と対向する部位には上向きの圧力が作用しない。そのため、当該部位は、支持部５４と接触する部位と異なり、隆起部５３から上向きの圧力が作用して上方へ向かって窪んだ形状になることはない。
【００３０】
この揮散具を使用するときは、ヒンジ部６５を中心として蓋６０を回動させる。このとき、揮散部材７０は、保持片６１及び付勢部６２により位置決めされているので、蓋６０とともに回動する。
【００３１】
そして、キャップ５０を取り外し、蓋６０を元の姿勢に戻す。このとき、揮散部材７０の下面７１のうち少なくとも吸液芯４０の上端４０ａと対向する部位は、上方へ向かって窪んでおらず元の平坦な形状に維持されているので、当該部位と吸液芯４０の上端４０ａとが確実に接触する。これにより、揮散部材７０は吸液芯４０から揮散液を吸い上げる。
【００３２】
以上説明したように、本実施形態の揮散具では、支持部５４は、隆起部５３より外側で当該隆起部５３よりも上方に突出して揮散部材７０を下方から支持するので、すなわち、揮散部材７０の下面７１が隆起部５３と接触しないようにこの揮散部材７０を下方から支持するので、揮散部材７０の下面７１のうち支持部５４と接触する部位は上方に窪んだ形状になり得るものの、この下面７１のうち吸液芯４０の上端４０ａ又は隆起部５３と対向する部位（キャップ５０が取り外された状態において吸液芯４０の上端４０ａと接触する部位）は、従来のように上方へ窪んだ形状とならず、しかも、拘束部６１ａにより揮散部材７０の吸液芯４０に対する位置決めがなされているので、キャップ５０が取り外された状態では、揮散部材７０の下面７１のうちの吸液芯４０の上端４０ａと対向する部位（支持部５４に支持された部位よりも内側の部位）が確実に吸液芯４０の上端４０ａと接触する。よって、使用時における吸液芯４０の上端４０ａと揮散部材７０の下面７１との安定的な接触状態が確保される。
【００３３】
また、支持部５４は、開口部１２の外周面に固定される被固定部５１の外周面を上方に延長させた形状の外周面を有するので、キャップ５０の取り外し性が向上される。具体的には、通常、キャップ５０を取り外すときには当該キャップ５０の被固定部５１が指等で把持されるが、支持部５４は、被固定部５１の外周面を上方に延長させた形状の外周面を有するので、このキャップ５０を取り外すときに把持可能な面積が増え、これにより、キャップ５０の取り外し性が向上される。
【００３４】
また、支持部５４は、隆起部５３を中心とする周方向の全域にわたって連続的に延びる形状を有することから、支持部５４から揮散部材７０に作用する圧力が低減されるので、揮散部材７０の下面７１のうち支持部５４の上端と接触する部位の変形量が抑制され、当該下面７１に支持部５４の上端と対応する形状の窪みが形成されるのが抑制される。よって、前記窪みが形成された場合であっても、揮散部材７０の下面７１のうち吸液芯４０の上端４０ａと対向する部位に発生し得る変形が抑制され、これにより、使用時における吸液芯４０の上端４０ａと揮散部材７０の下面７１との接触状態が一層安定する。
【００３５】
なお、今回開示された各実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
例えば、支持部５４は、隆起部５３の外側で、かつ、当該隆起部５３よりも上方で揮散部材７０を下方から支持する形状であれば、上記実施形態で示された形状に限られない。この支持部５４は、図４〜図８に示される形状であってもよい。具体的には、図４に示されるように、支持部５４は、被固定部５１の上端から上方に延びる形状の環状部５４ａと、この環状部５４ａの上端から径方向の外側に向かって張り出す形状のフランジ部５４ｂとを有するものであってもよい。また、図５に示されるように、支持部５４は、被固定部５１側の端部から上端に向かうにしたがって次第に径方向の寸法が大きくなる形状であってもよい。また、図６に示されるように、支持部５４は、被固定部５１の上端から上方に延びる形状の環状部５４ａと、この環状部５４ａよりも内側かつ隆起部５３よりも外側に形成されており挟持面５２ａから上方に延びる形状の補助環状部５４ｃとを有するものであってもよい。この補助環状部５４ｃは、周方向に連続的につながった形状を有する。また、図７に示されるように、支持部５４は、周方向に間欠的に形成されたスリット５４ｄを有する形状であってもよい。また、図８に示されるように、支持部５４は、被固定部５１の上端から上方に延びる形状の環状部５４ａと、隆起部５３の上端から径方向の外側に向かって放射状に延びて環状部５４ａとつながる形状の放射リブ５４ｅとを有するものであってもよい。この放射リブ５４ｅの上面は、環状部５４ａの上端と面一となっている。なお、支持部５４は、被固定部５１、シール部５２及び隆起部５３からなる部位とは別の部材で構成されてもよい。
【００３７】
また、上記実施形態では、収容部材１０は、容器１１と収容ケース２１とを有する例について示されているが、収容ケース２１が省略され、蓋６０が容器１１の上部に直接取り付けられる構成であってもよい。
【００３８】
また、シール部５２は、収容部材１０の上端に圧接されることで当該収容部材１０外への揮散液の漏出を防止可能な形状であれば、上記実施形態で示された形状に限られない。例えば、図９に示されるように、シール部５２は、挟持面５２ａと、この挟持面５２ａから下方に向かって延びており嵌合筒部３２の内面と密着する形状の突出部５２ｃとを有するものであってもよい。この突出部５２ｃは、周方向の全域にわたってつながった環状を呈する。つまり、上記実施形態のように、凸部５２ｂが当接部３４に対して下向きに圧接されることにより容器１１がシールされてもよいし、図９に示されるように、突出部５２ｃが当接部３４に対して径方向の外側に向かって圧接されることにより容器１１がシールされてもよい。また、シール部５２は、凸部５２ｂ及び突出部５２ｃの双方を有してもよい。
【符号の説明】
【００３９】
１０    収容部材
１１    容器
１２    開口部
２１    収容ケース
３１    保持部材
３２    嵌合筒部
３３    保持部
３４    当接部
４０    吸液芯
４０ａ  上端
５０    キャップ
５１    被固定部
５２    シール部
５３    隆起部
５４    支持部
６０    蓋
６０ａ  拡散孔
６１    保持片
６１ａ  拘束部
６１ｂ  受け部
６２    付勢部
７０    揮散部材
７１    下面
【図１】
2014125211.tif 000003
【図２】
2014125211.tif 000004
【図３】
2014125211.tif 000005
【図４】
2014125211.tif 000006
【図５】
2014125211.tif 000007
【図６】
2014125211.tif 000008
【図７】
2014125211.tif 000009
【図８】
2014125211.tif 000010
【図９】
2014125211.tif 000011